(57)【要約】【課題】建物のうち足元に位置する段差部分を構成する建材を、端まで照明することができる照明設置構造及び照明設置構造の製造方法を提案する。【解決手段】本発明の照明設置構造は、建物のうち足元に位置する段差部分を構成する建材１と、建材１に設けられ、上方に向けて開口する凹溝２と、凹溝２に収納される棒状の導光部材３と、導光部材３の長手方向の一端に光を入射する光源４と、幅木５と、を備える。幅木５、建材１の側部に配される。そして、幅木５は、下方に向けて突出し凹溝２内に位置する突出部５０を有し、突出部５０内に光源４が配置されている。【選択図】図１
2015133195.tif 000002
【特許請求の範囲】
【請求項１】
建物のうち足元に位置する段差部分を構成する建材と、
前記建材に設けられ、上方に向けて開口する凹溝と、
前記凹溝に収納される棒状の導光部材と、
前記導光部材の長手方向の一端に光を入射する光源と、
前記建材の側部に配される幅木と、を備え、
前記幅木は、下方に向けて突出し前記凹溝内に位置する突出部を有し、前記突出部内に前記光源が配置されていることを特徴とする照明設置構造。
【請求項２】
前記凹溝は、
長手方向の端部に位置する第一収納溝と、
前記第一収納溝に連続し、段差を介して前記第一収納溝よりも深く形成される第二収納溝と、を有し、
前記第一収納溝に、前記突出部が収納され、
前記第二収納溝に、前記導光部材が収納されることを特徴とする請求項１に記載の照明設置構造。
【請求項３】
建物のうち足元に位置する段差部分を構成する基材に、上方に向けて開口する溝部を形成し、
前記基材の側部に配される幅木に、下方に向けて突出し、光源が内蔵される突出部を形成し、
前記溝部に前記突出部と導光棒とを収納する照明設置構造の製造方法であって、
前記溝部は、長手方向の端部に位置する第一収納溝と、前記第一収納溝に連続し、段差を介して前記第一収納溝よりも深く形成される挿入溝と、を有し、
前記導光棒の長さは、前記挿入溝の溝長さから前記第一収納溝の溝長さ分を減じた長さであり、
前記挿入溝に前記導光棒を挿入して、前記挿入溝の長手方向の両端のうち前記第一収納溝から離れた側の一端に、前記導光棒の長手方向の端面を合わせ、
前記基材と前記導光棒を長手方向の一部で切断し、
切断された前記導光棒を移動させて前記段差に当てることで、前記挿入溝内に前記第一収納溝の溝長さ分のスペースを形成し、
前記スペースと前記第一収納溝とにそれぞれ、前記幅木の前記突出部を収納することを特徴とする照明設置構造の製造方法。
【請求項４】
前記溝部は、長手方向の両端部に位置する前記第一収納溝と、一対の前記第一収納溝間に位置する前記挿入溝と、を有することを特徴とする請求項３に記載の照明設置構造の製造方法。
【発明の詳細な説明】
【技術分野】
【０００１】
本発明は、足元の段差を照らす照明設置構造及びこの照明設置構造の製造方法に関する。
【背景技術】
【０００２】
特許文献１には、階段の段鼻に幅方向全体にわたって照明装置を配設した構造が開示されている。
【０００３】
照明装置は、長尺な矩形筐体状のケース体内に、長尺状の導光棒と、導光棒の長手方向の両端に向けて光を発射する一対のＬＥＤの光源と、を配置したものである。そのため、照明装置は、導光棒が位置する長手方向の中央部が、照明を行う照明部となり、ＬＥＤの光源が位置する長手方向の両端部が、照明を行わない非照明部となっている。
【先行技術文献】
【特許文献】
【０００４】
【特許文献１】特開２０１０−５５８２２号公報
【発明の概要】
【発明が解決しようとする課題】
【０００５】
上述した特許文献１の構造では、照明装置は長手方向の両端部が照明を行わない非照明部となっているため、段鼻のうち幅方向の両端部については照明を行うことができない。
【０００６】
上記事情を鑑みて、本発明では、建物のうち足元に位置する段差部分を構成する建材を、端まで照明することができる照明設置構造及びこの照明設置構造の製造方法を提案することを課題とする。
【課題を解決するための手段】
【０００７】
上記課題を解決するために本発明の照明設置構造は、建物のうち足元に位置する段差部分を構成する建材と、前記建材に設けられ、上方に向けて開口する凹溝と、前記凹溝に収納される棒状の導光部材と、前記導光部材の長手方向の一端に光を入射する光源と、前記建材の側部に配される幅木と、を備え、前記幅木は、下方に向けて突出し前記凹溝内に位置する突出部を有し、前記突出部内に前記光源が配置されていることを特徴とする。
【０００８】
また、前記凹溝は、長手方向の端部に位置する第一収納溝と、前記第一収納溝に連続し、段差を介して前記第一収納溝よりも深く形成される第二収納溝と、を有し、前記第一収納溝に、前記突出部が収納され、前記第二収納溝に、前記導光部材が収納されることが好ましい。
【０００９】
上記課題を解決するために本発明の照明設置構造の製造方法は、建物のうち足元に位置する段差部分を構成する基材に、上方に向けて開口する溝部を形成し、前記基材の側部に配される幅木に、下方に向けて突出し、光源が内蔵される突出部を形成し、前記溝部に前記突出部と導光棒とを収納する照明設置構造の製造方法であって、前記溝部は、長手方向の端部に位置する第一収納溝と、前記第一収納溝に連続し、段差を介して前記第一収納溝よりも深く形成される挿入溝と、を有し、前記導光棒の長さは、前記挿入溝の溝長さから前記第一収納溝の溝長さ分を減じた長さであり、前記挿入溝に前記導光棒を挿入して、前記挿入溝の長手方向の両端のうち前記第一収納溝から離れた側の一端に、前記導光棒の長手方向の端面を合わせ、前記基材と前記導光棒を長手方向の一部で切断し、切断された前記導光棒を移動させて前記段差に当てることで、前記挿入溝内に前記第一収納溝の溝長さ分のスペースを形成し、前記スペースと前記第一収納溝とにそれぞれ、前記幅木の前記突出部を収納することを特徴とする。
【００１０】
また、前記溝部は、長手方向の両端部に位置する前記第一収納溝と、一対の前記第一収納溝間に位置する前記挿入溝と、を有することが好ましい。
【発明の効果】
【００１１】
本発明の照明設置構造は、建材の側部に配される幅木に、光源を内蔵した突出部を設けることによって、幅木と導光部材との間に光源を配置するためのスペースを設ける必要がない。そのため、本発明の照明設置構造では、凹溝のうち外部に対して露出する部位全体に導光部材を配置することができる。これにより、本発明の照明設置構造では、建物のうち足元に位置する段差部分を構成する建材を、端まで照明することができる。
【００１２】
また、本発明の照明設置構造の製造方法では、基材の側部に配される幅木に、光源を内蔵した突出部を設けることによって、幅木と導光棒との間に光源を配置するためのスペースを設ける必要がない。そのため、本発明の照明設置構造の製造方法では、溝部のうち外部に対して露出する部位全体に導光棒を配置することができる。これにより、本発明の照明設置構造の製造方法では、建物のうち足元に位置する段差部分を構成する基材を、端まで照明することができる。
【図面の簡単な説明】
【００１３】
【図１】本発明の一実施形態の照明設置構造を示す斜視図である。
【図２】同上の照明設置構造の幅木を示す斜視図である。
【図３】（ａ）〜（ｄ）は同上の照明設置構造の製造方法の一例を示す断面図である。
【図４】（ａ）は同上の照明設置構造の他例を示す断面図であり、（ｂ）は同上の照明設置構造の更に他の例を示す断面図である。
【発明を実施するための形態】
【００１４】
以下、本発明の実施形態について添付図面に基づいて説明する。
【００１５】
図１には、本発明の一実施形態の照明設置構造が示されている。本実施形態の照明設置構造は、建物のうち足元に位置する段差部分を構成する建材１と、建材１に設けられ、上方に向けて開口する凹溝２と、棒状の導光部材３と、導光部材３の長手方向の一端に光を入射する光源４と、建材１の側部に配される幅木５と、を備える。以下では、図１に示す状態を基準として、図１の矢印Ｘ１で示す方向を前方とし、その逆方向を後方とし、図１の矢印Ｙ１で示す方向を右方とし、その逆方向を左方として、各構成について説明する。なお、図１の矢印Ｚ１で示す方向が上方であり、その逆方向が下方である。
【００１６】
建材１は、建物のうち足元に位置する段差部分を構成する部材であり、階段の踏板、玄関框、床見切り材等である。建材１は、左右方向を長手方向とし、前後方向を幅方向とし、上下方向を高さ方向とする部材である。建材１は、その上面の前端部に、左右方向の全長に亘って凹溝２が形成されている。建材１の前方には、図示していないが、建材１よりも低い位置に床材等が配置される。
【００１７】
本実施形態では、建材１は、基材１００を長手方向の一部で切断したものである。つまり、基材１００は、建材１を延長したものであり、建物のうち足元に位置する段差部分を構成する。基材１００は、設置現場にて施工者によって切断されることで、設置箇所の寸法に合った建材１を形成する。
【００１８】
導光部材３は、左右方向を長手方向とする棒体であり、例えば、アクリルの透明樹脂で形成される。導光部材３は、凹溝２に対応した形状であり、本実施形態では、長手方向の断面が矩形状である。導光部材３は、長手方向の端部から光源４の光が入射されることによって、長手方向に亘って光を出射する。導光部材３は、長手方向の端面が入射面となっており、上面が出射面となっている。そして、導光部材３は、下面が反射面となっている。なお、導光部材３の下面は、長手方向に亘って反射シートを貼り付けたり、長手方向に亘って導光パターンを刻み込む等することで、反射面として機能する。
【００１９】
本実施形態では、導光部材３は、導光棒３００を長手方向の一部で切断したものである。つまり、導光棒３００は、導光部材３を延長したものである。導光棒３００は、設置現場にて施工者によって切断されることで、凹溝２の溝長さに対応した導光部材３を形成する。なお、導光棒３００は、切断せずに用いてもよい。この場合、導光棒３００が導光部材３をなす。
【００２０】
光源４は、ＬＥＤである。光源４は、電源コード４０を介して商用電源や電池に接続される。なお、光源４は、白熱電球や蛍光灯であってもよい。
【００２１】
幅木５は、建材１の側部（長手方向の一端部）と建物の壁材との取り合い部に配される。建材１が、階段の踏板である場合、前記壁材は、例えば側桁である。本実施形態では、幅木５は、前後方向を長手方向とし、上下方向を高さ方向とし、左右方向を厚み方向とする部材である。幅木５は、合成樹脂にて成形された帯状のものである。幅木５の材質は、ポリプロピレン、ＡＢＳ、エチレンビニルアセテート、塩化ビニル等である。
【００２２】
幅木５は、図２に示すように、下面のうち長手方向の一部に、下方に向けて突出する突出部５０を有する。突出部５０は、凹溝２に収納可能に設けられる。本実施形態では、突出部５０は、幅木５の長手方向の一端部から下方に向けて突出している。なお、突出部５０は、幅木５の下面のうち、凹溝２に対応する箇所に設けられればよく、突出位置は長手方向の一端部に限定されない。本実施形態では、突出部５０は、四角柱状である。
【００２３】
幅木５は、突出部５０内に光源４が配置されている。光源４は、電源コード４０が突出部５０の外側に引き出された状態で突出部５０内に配される。突出部５０には、光源４が外部に光を照射できるように配置される。例えば、突出部５０には、導光部材３側に向けて開口する凹部が形成され、この凹部に光源４が導光部材３側に露出させて配置される。あるいは、突出部５０は、光透過性を有する材質で形成され、光源４が露出しない様態で突出部５０内に埋め込まれる。
【００２４】
幅木５は、下面を建材１の側部の上面に当て、突出部５０を凹溝２に挿入することで、建材１と建物の壁材との取り合い部に配される。本実施形態では、突出部５０は、前後幅Ｌ１が凹溝２の溝幅Ｌ２（前後幅Ｌ２）と同じである。そして、突出部５０は、突出長さＬ３が凹溝２の側端部の後述する第一収納溝２０の溝深さＬ４（図３参照）と同じである。そして、突出部５０は、左右幅Ｌ５（厚みＬ５）が第一収納溝２０の溝長さＬ６（左右方向の長さＬ６）と同じである。なお、突出部５０の左右幅Ｌ５は、幅木５のうち突出部５０以外の部位の左右幅（つまり、厚み）と同じである。
【００２５】
突出部５０は、前後幅Ｌ１が凹溝２の前後幅Ｌ２よりも短くてもよく、また、突出長さＬ３が第一収納溝２０の溝深さＬ４よりも短くてもよく、また、左右幅Ｌ５が第一収納溝２０の溝長さＬ６よりも短くてもよい。
【００２６】
幅木５は、その左面（表面）の上部に、幅木５の長手方向に亘って形成される溝５１を有する。溝５１には、例えば、幅木５を壁材に固定するピンネイル等の固定具が打ち込まれる。幅木５は、接着剤によって壁材に固定されるものであってもよく、この場合、溝５１は化粧用の溝をなす。なお、幅木５は、右面（裏面）の下部に、幅木５の長手方向に亘って形成される配線用溝を更に有していてもよい。その場合、この配線用溝には、光源４の電源コード４０を配置可能である。
【００２７】
凹溝２は、図３（ｃ）に示すように、長手方向の端部に位置する第一収納溝２０と、第一収納溝２０に連続し、段差６を介して第一収納溝２０よりも深く形成される第二収納溝２１と、を有する。図３（ｄ）に示すように、第一収納溝２０には、突出部５０が収納され、第二収納溝２１には、導光部材３が収納される。
【００２８】
第二収納溝２１の溝深さＬ７は、導光部材３の上下長さＬ８と同じか、それもよりも若干長い。また、第二収納溝２１の溝長さＬ９は、本実施形態では、導光部材３の長さＬ１０よりも第一収納溝２０の溝長さＬ６の分だけ長い。
【００２９】
図３（ａ）に示すように、基材１００は、その長手方向に亘って、上方に向けて開口する溝部２００を有する。溝部２００は、長手方向の端部に位置する第一収納溝２０と、第一収納溝２０に連続し、段差６を介して第一収納溝２０よりも深く形成される挿入溝２０１と、を有する。本実施形態では、溝部２００は、長手方向の両端部に第一収納溝２０を備え、一対の第一収納溝２０，２０間に挿入溝２０１を備える。挿入溝２０１は、溝長さＬ１２が第二収納溝２１の溝長さＬ９よりも長い。挿入溝２０１の溝深さＬ１１は、第二収納溝２１の溝深さＬ７と同じである。
【００３０】
続いて、図３（ａ）〜図３（ｄ）に示す本実施形態の照明設置構造の製造方法の一例について説明する。
【００３１】
まず、工場等において、基材１００に上方に向けて開口する溝部２００を形成する。ここで、溝部２００は、長手方向の両端部に第一収納溝２０が位置し、一対の第一収納溝２０，２０間に挿入溝２０１が位置するように形成する。挿入溝２０１は、各第一収納溝２０に連続し、段差６を介して各第一収納溝２０よりも深くなるように設けられる。
【００３２】
また、工場等において、基材１００の側部に配される幅木５に、下方に向けて突出する突出部５０を形成し、突出部５０内に光源４を配置する。ここで、光源４の電源コード４０は、突出部５０から引き出しておく。
【００３３】
また、工場等において、導光棒３００を、その長さＬ１３が、挿入溝２０１の溝長さＬ１２よりも第一収納溝２０の溝長さＬ６分だけ減じた長さとなるように形成する。なお、上述した基材１００への溝部２００の形成や、導光棒３００の長さ調整は、施工現場にて行ってもよい。
【００３４】
次いで、施工現場にて、図３（ａ）に示すように、挿入溝２０１に導光棒３００を挿入して、挿入溝２０１の長手方向の両端のうち一方（右側）の第一収納溝２０から離れた側の一端（左端）に、導光棒３００の長手方向の一端（左端）を合わせる。つまり、溝部２００の長手方向の片側（左側）に位置する段差６に、導光棒３００の長手方向の一端面（左端面）を当てる。このとき、溝部２００の長手方向のもう片側（右側）に位置する段差６と導光棒３００とは、第一収納溝２０の溝長さＬ６分だけ離れる。
【００３５】
次いで、図３（ｂ）に示すように、設置箇所の寸法に合わせて、基材１００と導光棒３００を長手方向の一部で切断する。このとき、のこぎり等の切断具を用いて、基材１００と導光棒３００を一緒に切断する。そして、切断した基材１００と導光棒３００を、建物の対向する壁材間に設置する。
【００３６】
次いで、図３（ｃ）に示すように、切断された導光棒３００を右側に移動させて、右側の段差６に当てることで、挿入溝２０１内の導光棒３００の左側に、第一収納溝２０の溝長さＬ６分のスペースＳを形成する。
【００３７】
次いで、図３（ｄ）に示すように、切断された基材１００の両側端部と、建物の壁材との取り合い部分にそれぞれ幅木５を設置し、幅木５の突出部５０を、スペースＳと第一収納溝２０とにそれぞれ収納する。このとき、一対の幅木５の突出部５０は、導光棒３００の長手方向の両端に当てた状態で、凹溝２に収納される。なお、一対の幅木５の突出部５０は、導光棒３００の長手方向の両端との間に若干の隙間があいた状態で、凹溝２に収納されてもよい。
【００３８】
次いで、突出部５０内の光源４の電源コード４０を、商用電源に接続する。なお、電源コード４０は、壁材に貫通させて、壁材の裏側で商用電源に接続してもよいし、壁材の表面に沿わせて、壁材の表側で商用電源に接続してもよい。光源４は、周囲が暗いときに発光するように、センサーを有する制御回路等によって電力供給が制御される。
【００３９】
以上説明した製造方法で製造される本実施形態の照明設置構造では、切断された溝部２００（つまり凹溝２）の長手方向の両端部に幅木５の突出部５０が収納され、一対の突出部５０，５０間の全体に亘って、切断された導光棒３００（つまり導光部材３）が収納される。
【００４０】
つまり、本実施形態の照明設置構造では、導光部材３を凹溝２のうち外部に対して露出する部位全体に収納することができる。そして、一対の突出部５０内の光源４から、導光部材３の長手方向の端面に光を入射することによって、凹溝２のうち外部に対して露出する部位全体を照明することができる。これにより、本実施形態の照明設置構造では、建材１を端から端まで照明することができる。
【００４１】
また、上述した本実施形態の照明設備構造の製造方法では、導光部材３に光を入射する光源４を、幅木５の突出部５０に設けている。そのため、本実施形態の照明設備構造の製造方法では、導光部材３（導光棒３００）を長手方向の一部で切断するだけで、光源４と導光部材３とで構成される照明装置の長さを簡単に調整することができる。また、本実施形態の照明設備構造の製造方法では、基材１００も、光源４や電源コード４０を有していないため、長手方向の一部で簡単に切断することができる。これらの理由により、本実施形態の照明設備構造の製造方法は、互いに異なる寸法の設置箇所に、照明設備構造を簡単に対応させることができ、自由度の高い製造方法となっている。
【００４２】
また、本実施形態の照明設備構造の製造方法は、幅木５の突出部５０に光源４を設けることで、光源４のメンテナンスの際に、建材１を躯体から取り外す必要がなく、光源４のメンテナンスを簡単に行うことができる。
【００４３】
また、上述した本実施形態の照明設備構造の製造方法では、溝部２００に、突出部５０の左右幅Ｌ５（厚みＬ５）と同じ長さの第一収納溝２０を形成し、第一収納溝２０に連続し、段差６を介して第一収納溝２０よりも深く形成される挿入溝２０１を形成している。そのため、本実施形態照明設備構造の製造方法では、溝部２００内に幅木５の突出部５０を収納するスペースを簡単に確保することができ、また、溝部２００内の導光棒３００の位置決めを段差６に当てることで簡単に行うことができる。
【００４４】
また、上述した本実施形態の照明設備構造の製造方法では、挿入溝２０１に挿入される導光棒３００として、その長さＬ１３が挿入溝２０１の溝長さＬ１２よりも第一収納溝２０の溝長さＬ６分だけ減じた長さのものを用いるようにしている。そのため、本実施形態の照明設備構造の製造方法では、導光棒３００の長手方向の一端（左端）を挿入溝２０１の長手方向の一端（左端）に合わせて、導光棒３００と基材１００とを一緒に切断することで、挿入溝２０１内に突出部５０を収納するためのスペースＳを簡単に形成することができる。
【００４５】
なお、上述した実施形態では、基材１００を切断して建材１を形成する例について説明したが、基材１００が設置箇所の寸法に対応している場合には、図４（ａ）に示すように、基材１００を切断せずそのまま利用してもよい。この場合、挿入溝２０１には、挿入溝２０１の溝長さＬ１２と同じ長さＬ１３の導光棒３００が収納され、溝部２００の長手方向の両端部の第一収納溝２０に幅木５の突出部５０が収納される。
【００４６】
また、上述した実施形態では、基材１００として、長手方向の両端部に第一収納溝２０を形成した例について説明したが、基材１００は、長手方向の一端部にのみ第一収納溝２０を形成したものであってもよい。この場合、導光棒３００を、挿入溝２０１の長手方向の両端のうち第一収納溝２０から離れた側の一端に合わせる際に、導光棒３００の長手方向の一端を、挿入溝２０１の長手方向の一端が位置する基材１００の長手方向の一端面と面一となる箇所に合わせればよい。
【００４７】
また、上述した実施形態では、建材１の両側部に、突出部５０を有する幅木５を設置した例について説明したが、導光部材３が短い場合には、図４（ｂ）に示すように、建材１の一方の側部には、突出部５０を有さない幅木５を設置してもよい。
【００４８】
以上まとめると、本発明の照明設置構造は、上述した一実施形態の照明設置構造のように、下記の構成を備えることを特徴とする。
【００４９】
すなわち、本発明の照明設置構造は、建物のうち足元に位置する段差部分を構成する建材１と、建材１に設けられ、上方に向けて開口する凹溝２と、凹溝２に収納される棒状の導光部材３と、導光部材３の長手方向の一端に光を入射する光源４と、幅木５と、を備える。幅木５は、建材１の側部に配される。そして、幅木５は、下方に向けて突出し凹溝２内に位置する突出部５０を有し、突出部５０内に光源４が配置されている。
【００５０】
以上のように、本発明の照明設置構造では、建材１の側部に配される幅木５に、光源４を内蔵した突出部５０を設けることによって、幅木５と導光部材３との間に光源４を配置するためのスペースを設ける必要がない。そのため、本発明の照明設置構造では、凹溝２のうち外部に対して露出する部位全体に導光部材３を配置することができる。これにより、本発明の照明設置構造では、建物のうち足元に位置する段差部分を構成する建材１を、端まで照明することができる。
【００５１】
また、本発明の照明設置構造は、上述した一実施形態の照明設置構造のように、更に下記の構成を備えることが好ましい。
【００５２】
すなわち、本発明の照明設置構造では、凹溝２が、長手方向の端部に位置する第一収納溝２０と、第一収納溝２０に連続し、段差６を介して第一収納溝２０よりも深く形成される第二収納溝２１と、を有する。そして、本発明の照明設置構造では、第一収納溝２０に、突出部５０が収納され、第二収納溝２１に、導光部材３が収納される。
【００５３】
以上のように本発明の照明設置構造では、凹溝２内に段差６を設けることで、導光部材３を段差６に当てて、凹溝２内での導光部材３の位置決めを簡単に行うことができる。
【００５４】
また、本発明の照明設備構造の製造方法は、上述した一実施形態の照明設備構造の製造方法のように、下記の構成を備えることを特徴とする。
【００５５】
すなわち、本発明の照明設置構造の製造方法は、基材１００に上方に向けて開口する溝部２００を形成し、幅木５に下方に向けて突出し、光源４が内蔵される突出部５０を形成し、溝部２００に突出部５０と導光棒３００を収納する照明設置構造の製造方法である。基材１００は、建物のうち足元に位置する段差部分を構成する。幅木５は、基材１００の側部に配される。溝部２００は、長手方向の端部に位置する第一収納溝２０と、第一収納溝２０に連続し、段差６を介して第一収納溝２０よりも深く形成される挿入溝２０１と、を有する。そして、導光棒３００の長さは、挿入溝２０１の溝長さＬ１０から第一収納溝２０の溝長さＬ６分を減じた長さである。本発明の照明設備構造の製造方法では、挿入溝２０１に導光棒３００を挿入して、挿入溝２０１の長手方向の両端のうち第一収納溝２０から離れた側の一端に、導光棒３００の長手方向の一端を合わせ、基材１００と導光棒３００を長手方向の一部で切断する。その後、本発明の照明設備構造の製造方法では、切断された導光棒３００を移動させて段差６に当てることで、挿入溝２０１内に第一収納溝２０の溝長さＬ６分のスペースＳを形成し、スペースＳと第一収納溝２０とにそれぞれ、幅木５の突出部５０を収納する。
【００５６】
以上のように本発明の照明設置構造の製造方法では、基材１００の側部に配される幅木５に、光源４を内蔵した突出部５０を設けることによって、幅木５と導光棒３００との間に光源４を配置するためのスペースを設ける必要がない。そのため、本発明の照明設置構造の製造方法では、溝部２００のうち外部に対して露出する部位全体に、切断した導光棒３００を配置することができる。これにより、本発明の照明設置構造の製造方法では、建物のうち足元に位置する段差部分を構成する切断された基材１００を、端まで照明することができる。
【００５７】
また、本発明の照明設置構造の製造方法では、基材１００と導光棒３００とを長手方向の一部で切断することで、設置箇所の寸法に合わせることができ、足元の段差を照らす照明を備えた照明設置構造の長さの調整を簡単に行うことができる。
【００５８】
また、本発明の照明設置構造の製造方法は、上述した一実施形態の照明設備構造の製造方法のように、更に下記の構成を備えることが好ましい。
【００５９】
すなわち、本発明の照明設置構造の製造方法では、溝部２００は、長手方向の両端部に位置する第一収納溝２０と、一対の第一収納溝２０，２０間に位置する挿入溝２０１と、を有する。
【００６０】
以上のような構成とすることで、本発明の照明設置構造の製造方法では、溝部２００の長手方向の両端部にそれぞれ段差６を設けることができ、切断前に導光棒３００を当てる段差６を２つのうちから選択することができるため、設置の自由度を向上させることができる。
【００６１】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６２】
１      建材
２      凹溝
３      導光部材
４      光源
５      幅木
６      段差
２０    第一収納溝
２１    第二収納溝
５０    突出部
１００  基材
２００  溝部
２０１  挿入溝
３００  導光棒
Ｌ６    第一収納溝の溝長さ
Ｌ１０  挿入溝の溝長さ
Ｓ      スペース
【図１】
2015133195.tif 000003
【図２】
2015133195.tif 000004
【図３】
2015133195.tif 000005
【図４】
2015133195.tif 000006